(57)【要約】【課題】イカ釣りに用いられるヤエンは、掛け針が固定式で跳ね上げリにくく、イカに掛かりにくかった。また道糸にセットする場合、前後の接続部分をそれぞれセットしなければならなかった。【解決手段】掛け針を跳ね上げさせるため、本体を遊動式にして、イカを引き寄せる時に発生する水圧を後方に設置したプレートにあてることにより、支点を中心とし、掛け針部を水圧の力で跳ね上げさせ、イカの掛かりをより確実にする。水圧を掛け針部分に伝える物としては、例えば、一定方向に自然に折りたたみされるプレートである。またヤエンを道糸にセットする場合、一度に片手の作業でセットできるようにする。その形態とは例えば、同一方向と反対に巻かれたらせん状の取り付け金具である。【選択図】図１
2005110578.tif 000002
【特許請求の範囲】
【請求項１】
イカ釣りに用いる掛け針を有したイカ釣り用具で、仕掛け前部と後部との間に支点を設け、仕掛け後部後方にはプレートを設置し、そのプレートにあたる海水の抵抗を利用して、先端部分に取り付けた掛け針を跳ね上げさせ、確実にイカに針を掛けることを特徴とするヤエン。
【請求項２】
前記プレートは、中央部を支点とし、開閉することを特徴とし、水圧を受ける大きさを変動させることを特徴とする請求項１記載のヤエン
【請求項３】
道糸との取り付け部分を道糸に取り付ける際、道糸にかかるテンションを最小限に抑え、簡単な作業で前後の取り付け部分を同時に片手で道糸に接続出来る為、竿を持ちながらでも取り付けることができる事を特徴とする請求項一記載のヤエン。
【発明の詳細な説明】
【技術分野】
【０００１】
この発明は、イカ釣りに用いる掛け針の、ヤエンの形状に関する。
【背景技術】
【０００２】
従来一般的に使用されてきたヤエンは、弾力性を有するピアノ線、もしくはステンレスバネ材であり、その手前側に錘を、先端側に複数の掛け針を取り付け、手前側に釣り糸への装着用の支持軸を立設させた構成となっており、装着は前後個別の動作により接続される物であった。そして、本体構造としては、図５のようにすべてにおいて固定式であった。
【発明の開示】
【発明が解決しようとする課題】
【０００３】
しかしながら、以上の技術によれば、ヤエンがイカに到達してから、掛け針がイカに掛かりにくく、特に初心者にとっては操作が難しいので、イカを逃すことが多かった。
またヤエンを道糸に装着する際に、前後の道糸との取り付け部分に接続するのに、個別に同じ作業を繰り返すことを必要としていた。
そこでこの発明はイカに掛け針が掛け易い形状にする為、支柱部分を海水の圧力を利用して跳ね上げるようにし、初心者が簡単確実にイカに掛け針を掛ける操作をしやすいヤエンを提供する。またヤエン本体の前後取り付け部分を道糸に取り付けする際、同じ作業を前部分、後ろ部分と２度繰り返すことなく、一度の作業で簡単に前後取り付け部を道糸に接続できるヤエンを提供することを課題とする。
【課題を解決するための手段】
【０００４】
以上の課題を解決するために、第一発明は、ヤエンをイカに到達するまではスムーズに沈下させ、なお且つイカとヤエンを引上げる際の水圧を利用して、掛け針のついた先端部分を跳ね上げることを特徴とするヤエンである。
第二発明は、水圧を利用する為のプレートを、中心部分で一定方向に折れ曲がる折りたたみ式にする事により、イカに到達するまでは進行方向からの海水の抵抗で閉まっている。よって、水中での抵抗を減らし、イカに早急かつスムーズに到達させ、逆にイカを引き寄せる際にはプレートが開いて、水圧の抵抗が増えヤエン前部支柱が容易に跳ね上がり、イカに掛かり易いという事を特徴とするヤエンである。
第三発明は、ヤエンの前後道糸取り付け部分を一体化させ、一回の簡単な作業で、前後の道糸取り付け部分に同時に片手で接続できることを特徴とするヤエンである。
【発明の効果】
【０００５】
第一発明によれば、ヤエンの掛け針を有する本体支柱前部は、水圧によって跳ね上がることによりイカに掛かり易い。また第二発明によれば、プレートを折り畳み式にする事によって、沈下中の抵抗は減り、沈下が速く、かつスムーズになり、また、イカを巻き上げる時にはプレートが開き、プレート表面に受ける水の抵抗が増すので、先端部分が跳ね上がり易い。第三発明によれば、本体を道糸にセットする場合に片手で竿を持ったまま、空いている片手で道糸を取り付け部分に簡単に接続できる。
【発明を実施するための最良の形態】
【０００６】
この発明の一実施形態を、図１、図２、図３、図４に示す。
ヤエンの本体１はステンレスバネ材製であり、この本体１の後方に接続される鉛製のバランス調整オモリ４とステンレス製の開閉式プレートＰを付帯させる本体２は、ステンレスパイプＳの中心を通して支点３にて本体１と接続されている。
支点３の下に接続される本体１とステンレスバネ材製の本体２が変形しない為の補強として、ステンレスバネ材の補強材８が付けられる。
本体２に取り付けられるバランス調整オモリ４は、ステンレスバネ材製からなる本体Ａ部分と同じくステンレスバネ材製で本体Ｂ部分の重量配分調整を可能とする為のものである。支点３を中心として、本体Ａ部分を若干本体Ｂ部分より重くするよう調整する。
拡大図、図３に示される開閉プレートＰの中心部である、ステンレス製プレート稼動部分７は、開閉プレートＰを一定方向に稼動させる為のものである。ストッパーＤはステンレスバネ材製であり、開閉プレートが後方からの水圧を受けた場合、開き易くするように１０度くらいの角度を残して閉まりきらない為のものである。また折り畳みはプレート中心点で折り畳めるように設定する。さらに、ストッパーＣもステンレスバネ材製で、開閉プレートが１８０度以上開かない為にするストッパーである。尚、この部分はプレートＰが海底の障害物に引っかからない様にする為、本体支柱前部延長線上下限より下に突出しないことを前提とする。
拡大図、図４に示される、ステンレスバネ材製の糸前方取り付け部大１０、小１１、その隙間の前部道糸挿入部Ｅ、同じくステンレスバネ材製の道糸後方取り付け部大１２、小１３、その隙間の後部道糸挿入部Ｆと、道糸取り付け時掛け部１４から繋がる部分の総称が本体９となる。道糸に取り付ける際、この前後道糸挿入部に道糸を同時に引っ掛けるように挿入し、道糸取り付け時掛け部１４に引っ掛けることにより、前後ともの道糸取り付け部に同時に取り付けられることを可能とする。道糸取り付け部１０、１１、１２、１３、と道糸取り付け時掛け部１４からなる本体９は、支点３の接続部分にステンレスパイプＳをも有している。このステンレスパイプＳを支点として本体１のＡ部分が跳ね上がるわけであるが、跳ね上がり過ぎ防止の為、ステンレスバネ材製の稼動範囲調整枠６が本体９に接続される。尚、本体９に付けられる鉛製のバランス調整オモリ５は、道糸前方接続部大１０を支点とした場合は、若干道糸接続部分より本体Ａ側が、軽くなるように調節する為のものである。以上の事により本体支柱前部１と本体支柱後ろ部分とのバランスと本体Ａ部分と本体Ｂ部分のバランスが個別に調節する事を可能とする。
掛け針１５、１６は、上方３０度から６０度くらいで角度がつけられており、本体１に直接ハンダ付けされ３個設けられている。跳ね上げ式なので、上方２本の掛け針である。ただし、釣り針からなる掛け針１６は上方２本、側方は角度が設けられていない２本の合計４本から形成される。
点線１７は掛け針が跳ね上がった状態を示す。
【０００７】
「実施形態の効果」
この実施形態によれば、餌にイカが乗り、頃合を見計らってヤエンを道糸にセットするわけであるが、その際、前方道糸取り付け部大１０と、前方道糸取り付け部小１１の間に設けられた前部道糸挿入部Ｅと後部道糸取り付け部大１２と後部道糸取り付け部小１３との間に設けられた後部道糸挿入部Ｆに、道糸を同時に片手で道糸に引っ掛けて挿入し、前部道糸挿入部Ｅと後部道糸挿入部Ｆの間に出てきた道糸を同じ手の指で、道糸取り付け時引っ掛け部１４に引っ掛けることにより、道糸は取り付け部内に滑り込み装着が簡単に短時間で出来る。その場合、道糸を強く固定しない為、イカに対してのテンションは最小限にとどめられる。この形状をとっている為、道糸側の餌をつける為の針側には、前部道糸取り付け部小の直径より少し大きめの浮き止め、もしくは、ビーズ球のような物を入れておけば、万一餌が完全になくなったとしても、ヤエンが餌付け用の針をすり抜けて紛失するようなことはない。そしてヤエンは道糸を伝って滑り落ちるわけであるが、その時に、本体支柱前部が道糸に絡まらない様にすることが大切である。だがそれは、道糸を伝って滑り落ちる場合は支点が後方道糸取り付け部大１２にあり、本体支柱前部１の方が重たくなる為、本体支柱前部１が下がりながら、滑り落ちていくので道糸に引っかかる心配はない。水中に入ると、滑り落ちる抵抗を受けるわけであるが、一定方向に開閉する開閉プレートＰにより、イカに到達するまではプレートＰが閉まっているので水の抵抗が少なくヤエンの沈下速度は早い。なお且つ閉じた開閉プレートが水流を整える為、ヤエンの沈下姿勢もよい。そしてヤエンは餌に到達する。そして餌が前方道糸取り付け部大１０に当たりヤエンの落下はそこで終わる。その時ヤエン全体の重心は前方道糸取り付け部大１０に移る。この場合まだ本体支柱前部は跳ね上がらない。もし、その際イカが驚いて餌を抱いたまま後退しても、水中でのヤエンの位置はそのままとなっており、また、ヤエンは餌に到着するまで落下を続ける。その工程を繰り返しヤエンはイカにやがて到達する。ヤエンの落下中は竿でイカを寄せてきても構わない。なぜならこのヤエンは、餌に到達しイカを寄せに入らないと、プレートＰに後方からの水圧を受けないため、前方道糸取り付け部大１０に餌が当たらなければ本体支柱前部１は跳ね上がらないからである。つまり、イカを寄せてくる最中にイカにヤエンが到達すれば、そのままイカを引き寄せる動作によって、後方からプレートＰに水圧が掛かって、勝手に本体支柱前部１は跳ね上がるのである。さらに、本体支柱前部分１と本体支柱後部は支点３を支点とした重量バランスが本体支柱部分１と本体支柱部分２のみで取られており、本体９とは別に重量バランスが取られている。これは基本的に本体支柱前部１側が跳ね上がり易く、また、上記説明によるところの本体支柱前部1側が重くなくてはならないため、バランス調整用オモリ４で調節する。その重量配分がＡ＞Ｂということが絶対条件である。そのため本体支柱前部１が常に下がっているので掛け針１４、１５が道糸に絡まないのである。そうして餌まで到達したヤエンの本体支柱は、餌に抱きついているイカの下に潜り込む。これは、道糸にヤエンを取り付けてから、そのま��これまでの釣り方と同様に静かにイカを寄せることだけをしていれば、いずれその状態になる。そして、餌の下に潜り込んだヤエンは釣り人側に引っ張られると、プレートＰが開く。プレートＰがより開き易くする為に後方部のストッパーＤはプレートＰが閉まりきらず１０度くらい開いている状態にする為にある。その隙間を作ることにより後ろから水の抵抗が入り易く、そしてプレートＰが開きやすくなっているのである。そしてプレートＰが開くとストッパーＣに当たり１８０度弱の角度で止まり、水の抵抗を大きく受けることとなり本体支柱後ろ部分２が下がり、支点３を中心とし、本体支柱前部分１が跳ね上がる。その水圧で支点３を中心とし、本体支柱前部１を掛け針ごと跳ね上げさせるのである。この時イカが後退しても、本体１部分の方が重くなっているので掛け針１５、１６部分は下がり道糸と絡まない。そして、順調に引き寄せてくるうちに開閉プレートに受ける水圧により、掛け針１５、１６がイカに到達しイカが針掛かりする。また、もし、イカが餌を離したとしても、イカのテンションが消え、瞬時に仕掛けが引っ張られる為、プレートに急激に水圧がかかるため、掛け針１５、１６もすばやく跳ね上がり、イカに掛かるのである。つまり以上の説明でわかるように、釣り人はヤエンを道糸に取り付けたら、何も考えず、ただイカを寄せてくる作業をしていれば、勝手に、しかも確実にイカに掛かるヤエンである。
【０００８】
「他の実施形態」
図１の実施形態では、開閉プレートは開閉式のプレートＰであったが、他の実施形態では、ステンレス板を取り付けたものでも良い。また、本体に使用されるステンレスバネ材は、ピアノ線などの弾力性を有するものでも良い。
【図面の簡単な説明】
【０００９】
【図１】この発明の一実施形態を示す側面図である。
【図２】この発明の一実施形態を示す斜視図である。
【図３】実施形態のプレート周りを示す拡大図である。
【図４】実施形態の道糸接続部周りを示す拡大図である。
【図５】従来技術を示す側面図である。
【符号の説明】
【００１０】
１  本体支柱前部分              ２  本体支柱後ろ部分            ３  支点
４  バランス調整オモリ          ５  バランス調整オモリ
６  稼動範囲調整枠          ７  プレート稼動部分
８  補強材          ９  本体          １０  前方道糸取り付け部大  
１１  前方道糸取り付け部小          １２後方道糸取り付け部大
１３  後方道糸取り付け部小          １４道糸取り付け時掛け部
１５  掛け針  ２本        １６  掛け針４本
１７  跳ね上げ後
Ａ  支点３より前部          Ｂ  支点３より後部
Ｃ  ストッパー          Ｄ  ストッパー          Ｅ  前部道糸挿入部  
Ｆ  後部道糸挿入部          Ｐ  プレート
【図１】
2005110578.tif 000003
【図２】
2005110578.tif 000004
【図３】
2005110578.tif 000005
【図４】
2005110578.tif 000006
【図５】
2005110578.tif 000007